(57)【要約】【課題】本発明の課題は、前板と仕切部材との位置決め作業を容易に行うことができる空調機の室外ユニットを提供することにある。【解決手段】室外ユニット３０では、前板４６の爪４６ｃが仕切部材４３の切り欠き部４３ｃに嵌ったとき、前板４６のネジ通し孔４６ｄ及び仕切部材４３のネジ孔４３ｄが重なるので、両者の孔のズレを手作業で修正する手間が省ける。その結果、前板４６と仕切部材４３との位置決め作業が容易となり、作業効率が向上する。【選択図】図６
2016125743.tif 000002
【特許請求の範囲】
【請求項１】
外郭を形成する本体ケーシング（４０）の内部が、送風機（３９）が配置される送風機室と圧縮機（３１）が配置される機械室とに仕切られている、空調機の室外ユニットであって、
前記本体ケーシング（４０）は、
前記送風機（３９）から送出される空気の吹出口（４６ａ）が形成されている前板（４６）と、
前記前板（４６）が固定され、前記前板（４６）側から後方に延びて前記送風機室と前記機械室とを仕切る仕切部材（４３）と、
を含み、
前記前板（４６）及び前記仕切部材（４３）それぞれには、共通のネジが通るネジ孔（４６ｄ，４３ｄ）が設けられ、
さらに、前記前板（４６）及び前記仕切部材（４３）のいずれか一方には小開口部が設けられ、他方には前記小開口部の所定位置に嵌まる嵌合部位が設けられ、
前記嵌合部位が前記小開口部の前記所定位置に嵌ったとき、前記前板（４６）の前記ネジ孔（４６ｄ）と前記仕切部材（４３）の前記ネジ孔（４３ｄ）とが重なる、
空調機の室外ユニット。
【請求項２】
前記小開口部は、前記仕切部材（４３）に形成された切り欠き部（４３ｃ）であり、
前記嵌合部位は、前記前板（４６）から前記仕切部材（４３）側に突出する爪（４６ｃ）である、
請求項１に記載の空調機の室外ユニット。
【請求項３】
前記切り欠き部（４３ｃ）は、最下端の幅が他の部分よりも小さくなっている、
請求項２に記載の空調機の室外ユニット。
【請求項４】
前記爪（４６ｃ）は、前記前板（４６）の所定部分を切り起して形成される、
請求項２又は請求項３に記載の空調機の室外ユニット。
【請求項５】
前記爪（４６ｃ）は、根元から先に向かって断面積が拡大する形状である、
請求項２から請求項４のいずれか１項に記載の空調機の室外ユニット。
【請求項６】
前記前板（４６）の前記吹出口（４６ａ）を覆う防護用グリル（８０）をさらに備え、
前記前板（４６）の前記所定部分は、前記防護用グリル（８０）で覆われる領域（４６１）内に設定されている、
請求項４に記載の空調機の室外ユニット。
【請求項７】
前記前板（４６）は、前記仕切部材（４３）の左右に延びている、
請求項１から請求項６のいずれか１項に記載の空調機の室外ユニット。
【発明の詳細な説明】
【技術分野】
【０００１】
本発明は、空調機の室外ユニットに関する。
【背景技術】
【０００２】
従来、特許文献１（特開２００５−５５０６３号公報）に開示されているような空調機の室外ユニットでは、その内部を仕切る仕切部材と、室内ユニットの前板とがネジ止めされることによって、仕切部材の固定及び前板の浮き上がり防止が図られている。
【発明の概要】
【発明が解決しようとする課題】
【０００３】
しかしながら、室外ユニットの組立、特に大型機種の組立において前板及び仕切部材のネジ孔が合わせにくく、作業性向上の阻害要因となっていた。
【０００４】
本発明の課題は、前板と仕切部材との位置決め作業を容易に行うことができる空調機の室外ユニットを提供することにある。
【課題を解決するための手段】
【０００５】
本発明の第１観点に係る空調機の室外ユニットは、外郭を形成する本体ケーシングの内部が、送風機が配置される送風機室と圧縮機が配置される機械室とに仕切られている空調機の室外ユニットであって、本体ケーシングが、前板と、仕切部材とを含んでいる。前板は、送風機から送出される空気の吹出口が形成されている。仕切部材は、前板が固定され、前板側から後方に延びて送風機室と機械室とを仕切る。前板及び仕切部材それぞれには、共通のネジが通るネジ孔が設けられている。さらに、前板及び仕切部材のいずれか一方には小開口部が設けられ、他方にはその小開口部の所定位置に嵌まる嵌合部位が設けられている。嵌合部位が小開口部の所定位置に嵌ったとき、前板のネジ孔と仕切部材のネジ孔とが重なる。
【０００６】
この空調機の室外ユニットでは、嵌合部位が小開口部の所定位置に嵌ったとき、前板及び仕切部材それぞれのネジ孔が重なるので、両者のネジ孔のズレを手作業で修正する手間が省ける。その結果、前板と仕切部材との位置決め作業が容易となり、作業効率が向上する。
【０００７】
本発明の第２観点に係る空調機の室外ユニットは、第１観点に係る空調機の室外ユニットであって、小開口部が仕切部材に形成された切り欠き部である。また、嵌合部位は、前板から仕切部材側に突出する爪である。
【０００８】
この空調機の室外ユニットでは、前板の爪が仕切部材の切り欠き部に嵌ったとき、前板及び仕切部材それぞれのネジ孔が重なるので、両者のネジ孔のズレを手作業で修正する手間が省ける。その結果、前板と仕切部材との位置決め作業が容易となり、作業効率が向上する。
【０００９】
本発明の第３観点に係る空調機の室外ユニットは、第２観点に係る空調機の室外ユニットであって、切り欠き部の最下端の幅が他の部分よりも小さくなっている。
【００１０】
この空調機の室外ユニットでは、前板の爪が仕切部材の切り欠き部の範囲内に進入した後、前板の自重により爪が切り欠き部の最下点に当たるまで降下する。爪は降下の際、切り欠き部の幅が狭くなる構成によって自然に最下点に案内される。
【００１１】
したがって、爪が切り欠き部の最下点に到達した状態のときに、前板及び仕切部材のネジ孔が重なるように設定されることによって、前板及び仕切部材のネジ孔の位置合わせが容易になる。
【００１２】
本発明の第４観点に係る空調機の室外ユニットは、第２観点又は第３観点に係る空調機の室外ユニットであって、爪が前板の所定部分を切り起して形成される。
【００１３】
この空調機の室外ユニットでは、爪は前板の所定部分を切り起して形成されるので、別部材で結合する手間が省け、材料削減、及びコスト低減に繋がる。
【００１４】
本発明の第５観点に係る空調機の室外ユニットは、第２観点から第４観点のいずれか１つに係る空調機の室外ユニットであって、爪が根元から先に向かって断面積が拡大する形状である。
【００１５】
この空調機の室外ユニットでは、爪が切り欠き部に挿入され嵌り込むことによって、挿入方向と反対方向に抜けそうになっても、爪は根元から先に向かって断面積が拡大する形状であるので、抜けることなく嵌合状態が維持される。
【００１６】
本発明の第６観点に係る空調機の室外ユニットは、第４観点に係る空調機の室外ユニットであって、前板の吹出口を覆う防護用グリルをさらに備えている。前板の所定部分は、防護用グリルで覆われる領域内に設定されている。
【００１７】
この空調機の室外ユニットでは、爪は前板の所定部分を切り起して形成されるので、その所定部分には穴が形成されるが、防護用グリルが装着されることによって、その穴が人目に付かなくなり、見栄えもよくなる。
【００１８】
本発明の第７観点に係る空調機の室外ユニットは、第１観点から第６観点のいずれか１つに係る空調機の室外ユニットであって、前板が仕切部材の左右に延びている。
【００１９】
この空調機の室外ユニットでは、前板は、両端、及びその両端間の途中が固定されるので、中央部が前後に振れる挙動（例えば、中央部を手で押さえると凹むような動作）が防止される。
【発明の効果】
【００２０】
本発明の第１観点に係る空調機の室外ユニットでは、嵌合部位が小開口部の所定位置に嵌ったとき、前板及び仕切部材それぞれのネジ孔が重なるので、両者のネジ孔のズレを手作業で修正する手間が省ける。その結果、前板と仕切部材との位置決め作業が容易となり、作業効率が向上する。
【００２１】
本発明の第２観点に係る空調機の室外ユニットでは、前板の爪が仕切部材の切り欠き部に嵌ったとき、前板及び仕切部材それぞれのネジ孔が重なるので、両者のネジ孔のズレを手作業で修正する手間が省ける。その結果、前板と仕切部材との位置決め作業が容易となり、作業効率が向上する。
【００２２】
本発明の第３観点に係る空調機の室外ユニットでは、前板の爪が仕切部材の切り欠き部の範囲内に進入した後、前板の自重により爪が切り欠き部の最下点に当たるまで降下する。爪は降下の際、切り欠き部の幅が狭くなる構成によって自然に最下点に案内される。
【００２３】
したがって、爪が切り欠き部の最下点に到達した状態のときに、前板及び仕切部材のネジ孔が重なるように設定されることによって、前板及び仕切部材のネジ孔の位置合わせが容易になる。
【００２４】
本発明の第４観点に係る空調機の室外ユニットでは、爪は前板の所定部分を切り起して形成されるので、別部材で結合する手間が省け、材料削減、及びコスト低減に繋がる。
【００２５】
本発明の第５観点に係る空調機の室外ユニットでは、爪が切り欠き部に挿入され嵌り込むことによって、挿入方向と反対方向に抜けそうになっても、爪は根元から先に向かって断面積が拡大する形状であるので、抜けることなく嵌合状態が維持される。
【００２６】
本発明の第６観点に係る空調機の室外ユニットでは、爪は前板の所定部分を切り起して形成されるので、その所定部分には穴が形成されるが、防護用グリルが装着されることによって、その穴が人目に付かなくなり、見栄えもよくなる。
【００２７】
本発明の第７観点に係る空調機の室外ユニットでは、前板は、両端、及びその両端間の途中が固定されるので、中央部が前後に振れる挙動（例えば、中央部を手で押さえると凹むような動作）が防止される。
【図面の簡単な説明】
【００２８】
【図１】本発明の一実施形態に係る室外ユニットを使用した空調機の構成図。
【図２】室外ユニットの正面図。
【図３】室外ユニットの平面図。
【図４】天板、前板の一部及び室外ファンを取り外した状態の室外ユニットの正面図。
【図５】仕切部材の切り欠き部の拡大正面図。
【図６】前板の斜視図。
【図７】前板の内面側から視た爪の斜視図。
【発明を実施するための形態】
【００２９】
以下図面を参照しながら、本発明の実施形態について説明する。なお、以下の実施形態は、本発明の具体例であって、本発明の技術的範囲を限定するものではない。
【００３０】
（１）空調機１０の構成
図１は、本発明の一実施形態に係る室外ユニット３０を使用した空調機１０の構成図である。図１において、空調機１０は、冷房運転及び暖房運転が可能な空気調和装置であり、室内ユニット２０と、室外ユニット３０と、室外ユニット３０と室内ユニット２０とを接続するための液冷媒連絡配管１４、ガス冷媒連絡配管１６、液側閉鎖弁３７及びガス側閉鎖弁３８とを備えている。
【００３１】
液側閉鎖弁３７及びガス側閉鎖弁３８は、それぞれ、液冷媒連絡配管１４及びガス冷媒連絡配管１６に接続されている。液冷媒連絡配管１４は、室内ユニット２０の室内熱交換器２１の液側と室外ユニット３０の液側閉鎖弁３７との間を接続している。ガス冷媒連絡配管１６は、室内ユニット２０の室内熱交換器２１のガス側と室外ユニット３０のガス側閉鎖弁３８との間を接続している。
【００３２】
（１−１）室内ユニット２０
図１において、室内ユニット２０は、室内熱交換器２１と、室内ファン２２とを有している。室内熱交換器２１は、クロスフィン型熱交換器であり、室内空気との熱交換によって内部を流れる冷媒を蒸発又は凝縮させ、室内の空気を冷却又は加熱することができる。
【００３３】
（１−２）室外ユニット３０
図１において、室外ユニット３０は、主に、圧縮機３１、四路切換弁３２、室外熱交換器３３、膨張弁３４、アキュムレータ３６、液側閉鎖弁３７、及びガス側閉鎖弁３８を有している。さらに、室外ユニット３０は室外ファン３９も有している。
【００３４】
（２）室外ユニット３０の主要構成部品
（２−１）圧縮機３１、四路切換弁３２およびアキュムレータ３６
圧縮機３１は、ガス冷媒を吸入して圧縮する。圧縮機３１の吸込口手前には、アキュムレータ３６が配置されており、圧縮機３１に液冷媒が直に吸い込まれないようになっている。
【００３５】
四路切換弁３２は、冷房運転と暖房運転との切換時に、冷媒の流れの方向を切り換える。冷房運転時、四路切換弁３２は、圧縮機３１の吐出側と室外熱交換器３３のガス側とを接続するとともに圧縮機３１の吸入側とガス側閉鎖弁３８とを接続する。つまり、図１の四路切換弁３２内の実線で示された状態である。
【００３６】
また、暖房運転時、四路切換弁３２は、圧縮機３１の吐出側とガス側閉鎖弁３８とを接続するとともに圧縮機３１の吸入側と室外熱交換器３３のガス側とを接続する。つまり、図１の四路切換弁３２内の点線で示された状態である。
【００３７】
（２−２）室外熱交換器３３および室外ファン３９
室外熱交換器３３は、室外空気との熱交換によって内部を流れる冷媒を凝縮又は蒸発させることができる。なお、室外ファン３９が、この室外熱交換器３３に対面するように配置されており、回転することによって室外空気を取り込んで室外熱交換器３３に送風し、室外熱交換器３３と室外空気との熱交換を促進する。
【００３８】
（２−３）膨張弁３４
膨張弁３４は、冷媒圧力や冷媒流量の調節を行うために、室外熱交換器３３と液側閉鎖弁３７の間の配管に接続され、冷房運転時及び暖房運転時のいずれにおいても、冷媒を膨張させる機能を有している。
【００３９】
（２−４）室外ファン３９
図２は、室外ユニット３０の正面図である。また、図３は、室外ユニットの平面図である。図２及び図３において、室外ファン３９は、複数の翼３９ｂを有するプロペラファンであり、室外熱交換器３３の前側で、吹出口４６ａ（図２参照）に対向するように配置されている。室外ファン３９は、ファンモータ３９ａによって回転駆動される。
【００４０】
（２−５）本体ケーシング４０
本体ケーシング４０は、室外ユニット３０の外殻を形成する。本体ケーシング４０は、内部を送風機室４１と機械室４２とに分けられている。送風機室４１には、室外熱交換器３３及び室外ファン３９が配置されている。機械室４２には、圧縮機３１及び電装品ユニット（図示せず）が配置されている。
【００４１】
（３）本体ケーシング４０の詳細構成
本体ケーシング４０は、左側板４５、前板４６、右側板４７、天板４８（図２参照）、底板４９、及び背面部５０（図３参照）からなる筐体であり、仕切部材４３が内部を送風機室４１と機械室４２とに分けている。ここでは、仕切部材４３と前板４６について詳細に説明する。
【００４２】
（３−１）仕切部材４３
図４は、天板４８、前板４６の一部及び室外ファン３９を取り外した状態の室外ユニット３０の正面図である。また、図５は、図４に記載の仕切部材４３の切り欠き部４３ｃの拡大正面図である。
【００４３】
図３、図４及び図５において、仕切部材４３は、鉛直方向には天板４８側から底板４９側に向って延び、前後方向には前板４６から背面部５０に向かって円弧を描きながら延びている。また、仕切部材４３の背面部５０側の端部は、室外熱交換器３３の右端の管板に固定される。その結果、仕切部材４３は送風機室４１から機械室４２に風が回り込まないように遮蔽する機能を有している。
【００４４】
図３及び図４に示すように、仕切部材４３は、前側連結部４３１と、湾曲部４３２と、後側連結部４３３とを有している。前側連結部４３１は、板金を一端から所定長さ隔てた位置で折り曲げることによって成形され、正面視が長方形を成している。前側連結部４３１は、前板４６とネジ止めによって連結される。
【００４５】
湾曲部４３２は、前側連結部４３１の一端から室外熱交換器３３の右端の管板に向かって湾曲しながら延びている。この湾曲部４３２を挟んで左右に送風機室４１と機械室４２とが隣接している。
【００４６】
後側連結部４３３は、前側連結部４３１及び湾曲部４３２が成形された板金のもう一方の端から所定長さ隔てた位置で折り曲げることによって成形され、正面視が長方形を成している。後側連結部４３３は、室外熱交換器３３の右端の管板と連結される。
【００４７】
ここで、前側連結部４３１について詳細を説明する。図４及び図５に示すように、前側連結部４３１には、切り欠き部４３ｃとネジ孔４３ｄが設けられている。ネジ孔４３ｄは、ネジ止めに使用されるネジのネジ外径よりも小さく成形されている。
【００４８】
切り欠き部４３ｃは、前側連結部４３１の所定領域を打ち抜き、又は切り起すことによって成形される。本実施形態では、前側連結部４３１の所定領域を打ち抜いて成形している。
【００４９】
切り欠き部４３ｃの２つの縦の縁は、前側連結部４３１の全幅より小さい距離に相当する間隔を開けて対峙しながら延びており、途中から２つの縦の縁はＹ字状に狭まるように接近し、前板４６の板厚寸法より僅かに大きい程度まで近づいた位置で再び縦方向に伸びて最下点に至る。その結果、切り欠き部４３ｃの最下部は前板４６の板厚寸法より僅かに大きい幅のスリット４３ｃａが形成される。
【００５０】
（３−２）前板４６
図６は前板４６の斜視図である。図６において、前板４６の左端から前板４６の横幅寸法の約３／４の長さ離れた位置までの範囲内に、他の領域よりも背面方向に窪んだ窪み領域４６１がある。
【００５１】
この窪み領域４６１には、円形の吹出口４６ａが形成されている。吹出口４６ａには、その周縁に沿うようにリング状のベルマウス５２が取り付けられている。
【００５２】
前板４６が本体ケーシング４０の正規位置に配置されたとき、仕切部材４３の切り欠き部４３ｃ及びネジ孔４３ｄは、その窪み領域４６１内で且つ吹出口４６ａより右側部分と対峙する。
【００５３】
そして、窪み領域４６１のうち仕切部材４３のネジ孔４３ｄと対峙する位置には、前板４６の外側面から内側面に向かって貫通するネジ通し孔４６ｄが設けられている。ネジ通し孔４６ｄは、その直径がネジ外径よりも大きく成形されている。
【００５４】
また、窪み領域４６１のうち仕切部材４３の切り欠き部４３ｃと対峙する位置には、前板４６の外側面から内側面に向かって切り起されてできる爪４６ｃが設けられている。
【００５５】
図７は、前板４６の内面側から視た爪４６ｃの斜視図である。図７において、図６で示した窪み領域４６１の内側面で且つ仕切部材４３の前側連結部４３１と連結される連結面４６１ａから垂直に立ち上がっている。
【００５６】
爪４６ｃは、前板４６が正規姿勢のとき、上側となる端面は水平であり、下側となる端面は前板４６から離れるほど下方に傾斜する傾斜面となっている。つまり、爪４６ｃの断面が根元から先端に向かって鉛直下方に拡大する形状である。
【００５７】
（３−３）仕切部材４３と前板４６との連結
作業者は、前板４６の爪４６ｃを仕切部材４３の切り欠き部４３ｃに挿入するように前板４６の連結面４６１ａを仕切部材４３の前側連結部４３１に重ね合わせる。切り欠き部４３ｃの縦幅及び横幅は、爪４６ｃの縦幅及び横幅（＝厚み）よりも大きいので、作業者は前板４６の上辺を天板４８に沿わすように合わせるだけで、前板４６の爪４６ｃは仕切部材４３の切り欠き部４３ｃに進入する。
【００５８】
爪４６ｃが切り欠き部４３ｃに挿入された時点で、作業者が前板４６を持つ手の力を緩めると、前板４６はその自重で鉛直下方に降下するが、図７に示すように爪４６ｃの下側根元４６ｃａから先端に向かって傾斜する傾斜面４６ｃｂが、図５に示す切り欠き部４３ｃの縁に案内されて徐々にスリット４３ｃａに嵌り込む。
【００５９】
爪４６ｃが切り欠き部４３ｃに完全に進入していなくても、爪４６ｃの傾斜面４６ｃｂが切り欠き部４３ｃのスリット４３ｃａに嵌り込む際に、爪４６ｃの傾斜面４６ｃｂが仕切部材４３のスリット４３ｃａをスライドするので、前板４６は自然に前側連結部４３１側へ引き寄せられ、爪４６ｃの下側根元４６ｃａがスリット４３ｃａの最下点に載る。
【００６０】
爪４６ｃの下側根元４６ｃａがスリット４３ｃａの最下点に載った状態のとき、前板４６のネジ通し孔４６ｄと仕切部材４３のネジ孔４３ｄとが略同心上に重なる。この状態で、作業者はセルフタップネジをネジ通し孔４６ｄ及びネジ孔４３ｄに突き立てて回転させることによって、両者がネジ止めされる。
【００６１】
これによって、本体ケーシング４０における前板４６の位置が安定し、作業者は他の部分をネジ止めすることによって、前板４６が本体ケーシング４０の正規位置に固定される。
【００６２】
前板４６が本体ケーシング４０の正規位置に固定された直後の状態では、前板４６の窪み領域４６１には、爪４６ｃを切り起した際に生成された穴が曝露したままであるが、窪み領域４６１には防護用グリル８０が嵌め込まれるので、当該穴は防護用グリル８０によって隠れるので見栄えが良くなる。
【００６３】
（４）特徴
（４−１）
室外ユニット３０では、前板４６の爪４６ｃが仕切部材４３の切り欠き部４３ｃに嵌ったとき、前板４６のネジ通し孔４６ｄ及び仕切部材４３のネジ孔４３ｄが重なるので、両者の孔のズレを手作業で修正する手間が省ける。その結果、前板４６と仕切部材４３との位置決め作業が容易となり、作業効率が向上する。
【００６４】
（４−２）
室外ユニット３０では、前板４６の爪４６ｃが仕切部材４３の切り欠き部４３ｃの範囲内に進入した後、前板４６の自重により爪４６ｃが切り欠き部４３ｃの最下点に当たるまで降下する。爪４６ｃは降下の際、切り欠き部４３ｃの幅が狭くなる構成によって自然に最下点に案内される。
【００６５】
したがって、爪４６ｃが切り欠き部４３ｃの最下点に到達した状態のときに、前板４６のネジ通し孔４６ｄ及び仕切部材４３のネジ孔４３ｄが重なるように設定されることによって、前板４６のネジ通し孔４６ｄ及び仕切部材４３のネジ孔４３ｄの位置合わせが容易になる。
【００６６】
（４−３）
室外ユニット３０では、爪４６ｃは前板４６の窪み領域４６１の所定部分を切り起して形成されるので、別部材で結合する手間が省け、材料削減、及びコスト低減に繋がる。
【００６７】
（４−４）
室外ユニット３０では、爪４６ｃが切り欠き部４３ｃに挿入され嵌り込むことによって、挿入方向と反対方向に抜けそうになっても、爪４６ｃは根元から先に向かって断面積が拡大する形状であるので、抜けることなく嵌合状態が維持される。
【００６８】
（４−５）
室外ユニット３０では、爪４６ｃは前板４６の窪み領域４６１の所定部分を切り起して形成されるので、その所定部分には穴が形成されるが、防護用グリル８０が装着されることによって、その開口が人目に付かなくなり、見栄えもよくなる。
【００６９】
（４−６）
室外ユニット３０では、前板４６は、両端、及びその両端間の途中が固定されるので、中央部が前後に振れる挙動（例えば、中央部を手で押さえると凹むような動作）が防止される。
【産業上の利用可能性】
【００７０】
本発明は、空気調和機に限らずヒートポンプ式給湯機の室外ユニットにも有用である。
【符号の説明】
【００７１】
１０      空調機
３０      室外ユニット
３１      圧縮機
３９      室外ファン（送風機）
４０      本体ケーシング
４３      仕切部材
４３ｃ    切り欠き部（小開口部）
４３ｄ    ネジ孔
４６      前板
４６ａ    吹出口
４６ｃ    爪（嵌合部位）
４６ｄ    ネジ通し孔（ネジ孔）
４６１    窪み領域（防護用グリルで覆われる領域）
８０      防護用グリル
【先行技術文献】
【特許文献】
【００７２】
【特許文献１】特開２００５−５５０６３号公報
【図１】
2016125743.tif 000003
【図２】
2016125743.tif 000004
【図３】
2016125743.tif 000005
【図４】
2016125743.tif 000006
【図５】
2016125743.tif 000007
【図６】
2016125743.tif 000008
【図７】
2016125743.tif 000009